(57)【要約】【課題】  各種の大きさの既設消火栓箱に装着可能な保形ホース収納枠及び該保形ホース収納枠を用いた消火栓装置を提供すること。【解決手段】  巻回した保形ホース３を消火栓箱１内部に保持する保形ホース収納枠４であって、消火栓箱１内に所定距離を隔てて平行に立設し得る長さの一対の支持杆４ａ，４ａ’を設け、一対の支持杆の何れか一方に上記保形ホース３の側面を支持し得る側面支持枠４ｂ，４ｂ’を設け、両支持杆の上下端部に支持杆を消火栓箱１内に固定するための固定基台５，６を設けると共に、固定基台５，６に支持杆の各端部に接続可能な脚部５ｃ，５ｃ’、６ｄ，６ｄ’を設け、上側又は下側の固定基台の脚部は、固定基台が支持杆に対して上下方向に摺動可能な長さを有するように構成する。【選択図】  図１
2005270494.tif 000002
【特許請求の範囲】
【請求項１】
巻回した保形ホースを消火栓箱内部に保持する保形ホース収納枠であって、
上記消火栓箱内に所定距離を隔てて平行に立設し得る長さの一対の支持杆を設け、
上記一対の支持杆の何れか一方に上記保形ホースの側面を支持し得る側面支持枠を設け、
かつ上記両支持杆の上下端部に上記支持杆を上記消火栓箱内に固定するための固定基台を設けると共に、各固定基台に上記支持杆の各端部に接続可能な脚部を設け、
さらに、上記上側又は下側の固定基台の上記脚部は、上記固定基台が上記支持杆に対して上下方向に摺動可能な長さを有しているものであることを特徴とする保形ホース収納枠。
【請求項２】
上記支持杆を中空管により構成し、上記各固定基台の脚部の上記支持杆端部への接続は、上記脚部を対応する上記支持杆の管内に挿通することにより行うものであることを特徴とする請求項１記載の保形ホース収納枠。
【請求項３】
上記固定基台の上記消火栓箱への取り付け面に永久磁石を設けたものであることを特徴とする請求項１又は２記載の保形ホース収納枠。
【請求項４】
消火栓弁を具備し巻回した保形ホースを収納保持する消火栓箱を有する消火栓装置であって、
請求項１〜３の何れかに記載の保形ホース収納枠を上記固定基台を以って上記消火栓箱内に固定したものであることを特徴とする消火栓装置。
【請求項５】
消火栓弁を具備し巻回した保形ホースを収納保持する消火栓箱を有する消火栓装置であって、
請求項１〜３の何れかに記載の保形ホース収納枠をその側面支持枠が上記消火栓弁の側に位置するように上記固定基台を以って上記消火栓箱内に固定し、
かつ上記保形ホース収納枠内に上記保形ホースを収納した状態で、保形ホースの一方の側面を上記消火栓箱内側面で支持すると共に、上記保形ホースの他方の側面を上記側面支持枠にて支持するように構成したものであることを特徴とする消火栓装置。
【発明の詳細な説明】
【技術分野】
【０００１】
本発明は、消火栓用の保形ホース収納枠及び該保形ホース収納枠を適用した消火栓装置に関するものである。
【背景技術】
【０００２】
従来、建物や構造物に設置が義務付けられている消火栓（１号消火栓）は２名以上で操作することを意図したものであり、該消火栓内に収納された扁平状のフラットホース１０を全部取り出して展延しなければ放水できない構造となっていた（図５参照）。
【０００３】
このような中、既存の１号消火栓を易操作性１号消火栓に改修することが認められたことから、既設の消火栓箱や配管を用いて上記「１号消火栓」から、一人で容易に操作ができる「易操作性１号消火栓」に改修することが可能となった。
【０００４】
ところで、新築建物等においては上記「易操作性１号消火栓」の導入が進んでいるが、既設建物等の増築やリフォーム工事において或いはホース交換等においては、上記「易操作性１号消火栓」に改修される事例は比較的少ない。
【０００５】
この背景としては、上記「易操作性１号消火栓」においてはフラットホースに代わり常時円形断面を保持する保形ホースを採用していることから、従来のように櫛型ホース架に掛け渡して収納することができず、保形ホースを巻回して収納する必要があるため、当該保形ホースを限られた収納スペースに使い勝手よく収納することが困難であったことが挙げられる。
【０００６】
かかる状況に鑑みて、保形ホースを収納し得る種々の消火栓装置が提案されている（特許文献１〜３）。これらの消火栓装置のうち特許文献１に示すものは、収納スペースが小さい場合でも保形ホースを損傷させることなく収納可能にする消火栓装置に関するものである。
【０００７】
また、特許文献２に示す消火栓装置は、保形ホースを渦巻き状に巻回された状態で整然と収納し、かつ小さな力で該保形ホースを取り出すことを可能としたものであり、特許文献３に示す消火栓装置も同種のものである。
【０００８】
【特許文献１】特開平１１−５７０５６号公報
【特許文献２】特開平１１−４７３０３号公報
【特許文献３】実開平５−２１９７３号公報
【発明の開示】
【発明が解決しようとする課題】
【０００９】
ところで、上記提案された消火栓装置であっても、既設の消火栓改修に使用する場合には次のような課題がある。
【００１０】
第１に、消火栓箱はサイズが規格化されていないことから、「易操作性１号消火栓」への改修の中心となる保形ホース収納枠の装着については、設置収納スペースに制約を受けることが多い。このため、改修の対象となる消火栓箱に応じて上記保形ホース収納枠を個別に設計する必要があり、該保形ホース収納枠の規格化が困難であること。
【００１１】
第２に、消火栓弁や消防隊専用栓弁の取り付け位置は消火栓によって種々存在するため、保形ホース収納枠の形状によっては対象となる消火栓箱への取り付けが不可能な場合があること。
【００１２】
本発明は、上記従来の課題に鑑みてなされたものであって、各種の既設消火栓箱に対応して装着することのできる保形ホース収納枠を提供すると共に、該保形ホース収納枠を装着した消火栓装置を提供することを目的とするものである。
【課題を解決するための手段】
【００１３】
上記課題を解決するために、本発明は、
第１に、巻回した保形ホースを消火栓箱内部に保持する保形ホース収納枠であって、上記消火栓箱内に所定距離を隔てて平行に立設し得る長さの一対の支持杆を設け、上記一対の支持杆の何れか一方に上記保形ホースの側面を支持し得る側面支持枠を設け、かつ上記両支持杆の上下端部に上記支持杆を上記消火栓箱内に固定するための固定基台を設けると共に、各固定基台に上記支持杆の各端部に接続可能な脚部を設け、さらに、上記上側又は下側の固定基台の上記脚部は、上記固定基台が上記支持杆に対して上下方向に摺動可能な長さを有しているものであることを特徴とする保形ホース収納枠により構成される。
【００１４】
従って、何れか一方の固定基台が支持杆に対して上下昇降可能となるため、装着対象となる消火栓箱の大きさ（高さ等）が各種存在しても、当該消火栓箱の大きさに応じた適切な位置に保形ホース収納枠を取り付けることが可能となる。また、側面支持枠を左右の何れかの支持杆に位置させることにより、既設消火栓箱内の消火栓弁の位置に拘わらず、最適位置に保形ホース収納枠を取り付けることが可能となる。即ち、消火栓箱の上下高さが各種存在しても、上記一方の固定基台を上記支持杆に対して上下方向に摺動することにより、各種の上下高さの消火栓箱に対応して、上記支持杆を適切に取り付け固定することができ、保形ホースを確実に支持し得る。
【００１５】
第２に、上記支持杆を中空管により構成し、上記各固定基台の脚部の上記支持杆端部への接続は、上記脚部を対応する上記支持杆の管内に挿通することにより行うものであることを特徴とする上記第１記載の保形ホース収納枠により構成される。
【００１６】
従って、固定基台の脚部を支持杆に挿通するだけで両者を接続し得るため、消火栓箱内の消火栓弁の設置位置に応じた保形ホース収納枠の取り付け作業を容易に行うことができる。尚、上記構成において、上記支持杆には両端部のみが中空管の棒状体や、全体が中空管のものを使用することが可能である。
【００１７】
第３に、上記固定基台の上記消火栓箱への取り付け面に永久磁石を設けたものであることを特徴とする上記第１又は２記載の保形ホース収納枠により構成される。
【００１８】
このように構成すると、保形ホース収納枠の消火栓箱への固定を永久磁石の磁気吸着力により行うことができ、取り付け作業の効率化を行うことができる。
【００１９】
第４に、消火栓弁を具備し巻回した保形ホースを収納保持する消火栓箱を有する消火栓装置であって、上記第１〜３の何れかに記載の保形ホース収納枠を上記固定基台を以って上記消火栓箱内に固定したものであることを特徴とする消火栓装置により構成されるものである。
【００２０】
第５に、消火栓弁を具備し巻回した保形ホースを収納保持する消火栓箱を有する消火栓装置であって、上記第１〜３の何れかに記載の保形ホース収納枠をその側面支持枠が上記消火栓弁の側に位置するように上記固定基台を以って上記消火栓箱内に固定し、かつ上記保形ホース収納枠内に上記保形ホースを収納した状態で、保形ホースの一方の側面を上記消火栓箱内側面で支持すると共に、上記保形ホースの他方の側面を上記側面支持枠にて支持するように構成したものであることを特徴とする消火栓装置により構成されるものである。
【００２１】
このように消火栓弁が位置する側においては、上記支持杆の側面保持枠で保形ホース側面を支持し、他方は消火栓箱の内側面にて保形ホースの他方側面を支持するように構成することにより、消火栓箱内の消火栓弁の位置にかかわらず、保形ホースを保持し得る消火栓装置を実現し得るものである。
【発明の効果】
【００２２】
本発明によれば、既設の消火栓箱の大きさや消火栓弁の取り付け位置が各種存在しても、それらに対応して既設消火栓箱内に容易に取り付けが可能な保形ホース収納枠を実現することができる。
【００２３】
また、保形ホース収納枠を規格化することが可能となり、製造コストの低減化や品質の均一化が図られる。
【００２４】
また、保形ホース収納枠を規格化することで、その取り付け工事のマニュアル化が可能となり、施工期間の短縮化及び施工に要する技術の平準化等が図られる。
【００２５】
本発明に係る消火栓装置によれば、保形ホースを適切に収納することができると共に、火災時に保形ホースを容易に取り出し得る消火栓装置を実現し得る。
【発明を実施するための最良の形態】
【００２６】
図１は、本発明に係る保形ホース収納枠及び消火栓装置の一実施形態を示し、このうち（ａ）は正面図、（ｂ）は側面断面概略図を示している。
【００２７】
１は消火栓箱であり、天板１ａと底板１ｂ及びこれらを連結する背板１ｄと右側板１ｃと左側板１ｃ’により前面開口の直方体形状に形成されている。尚、図示していないが、前面開口部には扉が設けられる。
【００２８】
上記消火栓箱１の右側板１ｃ上端部には「４０Ａ」の消火栓弁２が取り付けられている。この消火栓弁２の１次側は、上記右側板１ｃの開口２”（図２参照）を介して外部の消火用水給水設備（図示せず）と連通しており、開弁することにより上記消火栓箱１内の消火ホースに消火用水を供給するものである。
【００２９】
上記消火栓弁２の２次側には保形ホース３の終端接続部３ｂが接続されている。保形ホースとはその断面が常時円形に保たれる可撓性を有するホースをいい、本実施形態における易操作性１号消火栓においては通常全長３０ｍのものが使用される。上記保形ホース３の先端には消火ノズル３ａが装着されており、該消火ノズル３ａに設けた弁の開閉動作により放水調節ができるように構成されている。尚、図１（ａ）中２’は「６５Ａ」の消火栓弁であり、上記消火栓弁２と２’の両方が上記右側板１ｃに上下に取り付けられる場合もある。
【００３０】
上記保形ホース３は、上記消火栓弁２の二次側に接続された上記終端接続部３ｂから下方向けて配置され、さらに上記消火栓弁２の左側の消火栓箱１内スペースにおいて上記消火ノズル３ａを終端として巻回状態で収納され、その前面側を後述の保形ホース収納枠４の支持杆４ａ，４ａ’で支持されると共に、その右側面側を後述の側面支持枠４ｂ，４ｂにより支持される。かかる保形ホース３は、上記保形ホース収納枠４に収納された状態において、その最外周側面が上記天板１ａと底板１ｂ、左側板１ｃ’及び後述の保形ホース収納枠４の側面支持枠４ｂに当接して上下、左右方向を支持されると共に、巻回収納された上記保形ホース３の前後方向は上記背板１ｄと上記保形ホース収納枠４の支持杆４ａ、４ａ’によって支持される。
【００３１】
４は上記保形ホース収納枠であり、所定距離を隔てて平行する一対の支持杆４ａ、４ａ’と、右側の支持杆４ａにのみ設けられた側面支持枠４ｂ、４ｂと、上側の固定基台５及び下側の固定基台６によって構成されている。
【００３２】
上記一対の支持杆４ａ、４ａ’は上下端開口の中空のスチールパイプ（中空管）により構成され、これら支持杆４ａ、４ａ’の上下長さは消火栓箱１内部の全高より短く形成されている。
【００３３】
上記一対の支持杆４ａ、４ａ’の内、一方（右側）の支持杆４ａの中間部上下２箇所には、該支持杆４ａに直交する一対の側面支持枠４ｂ、４ｂの先端が溶着されている。該側面支持枠４ｂ、４ｂはスチール棒を後方に向けて直角に屈曲した略Ｌ字形状に形成されており（図１（ａ）（ｂ）参照）、その後端には平板状の脚部４ｂ’、４ｂ’が取り付けられている。尚、図１には上記側面支持枠４ｂ、４ｂを上下二箇所に設けている実施形態を示しているが、巻回された保形ホース３の側面を確実に保持し得るのであれば取り付け箇所や個数は適宜選択可能である。
【００３４】
このように、上記側面支持枠４ｂ，４ｂは上記消火栓弁２が存在する側（消火栓弁２が消火栓箱１の例えば右側に存在する場合は一対の支持杆４ａ，４ａ’の内の右側）の支持杆４ａに設置される。このよう構成にすると、保形ホース３の一方（左側）の外側面を左側板１ｃ’で支持した状態で、該保形ホース３の他方（右側）の外側面を上記側面支持枠４ｂ、４ｂで確実に支持することができ、これにより上記保形ホース３を安定して支持し得る。
【００３５】
また、上記一対の支持杆４ａ、４ａ’間の離間距離は、上記支持杆４ａ、４ａ’が上記巻回収納された保形ホース３の前面を支持する役割を果たしていること、及び火災発生時にはこの支持杆４ａ、４ａ’の間から上記保形ホース３を取り出すことに鑑みて、上記巻回状態の上記保形ホース３の内周径ｔより大きく、外周径ｔ’より小さい距離とすることが好ましい（図１（ａ）参照）。また、上記支持杆４ａ，４ａ’には両端部のみが中空管の棒状体のものや、全体が中空管のものを使用することが可能であるが、上記一対の支持杆４ａ，４ａ’の間から上記保形ホース３を引き出すことを考慮すると、上記支持杆４ａ，４ａ’は上記保形ホース３の損傷や裂傷を避けるために、断面が円形又は楕円形状等の棒状体で構成することが好ましい。
【００３６】
５は断面略Ｚ型の金板で構成されている上側の上記固定基台であり、上記一対の支持杆４ａ、４ａ’の離間距離より幅長に形成され、その下面５ａには上記支持杆４ａ，４ａ’の各上端部４ｃ，４ｃ’から当該支持杆４ａ，４ａ’内に挿通可能な棒状の脚部５ｃ、５ｃ’が突出形成されている。
【００３７】
６は上記上側の固定基台５と同様に断面略Ｚ型の金板で構成されている下側の上記固定基台であり、上記一対の支持杆４ａ、４ａ’の離間距離より幅長に形成され、その上面６ａには上記支持杆４ａ，４ａ’の下端部４ｄ，４ｄ’から当該支持杆４ａ，４ａ’内に挿通可能な棒状の脚部６ｄ、６ｄ’が突出形成されている。尚、上記支持杆４ａ，４ａ’は何れも同じ外径及び同じ内径を有しており、また上記脚部５ｃ、５ｃ’及び脚部６ｄ、６ｄ’は同一外径に形成されているため、上記一対の支持杆４ａ、４ａ’の上端部４ｃ、４ｃ’及び下端部４ｄ、４ｄ’には、上記脚部５ｃ、５ｃ’或いは脚部６ｄ，６ｄ’の何れもが挿通可能となっている。
【００３８】
また、上記上側の固定基台５の脚部５ｃ，５ｃ’は下側の固定基台６の脚部６ｄ，６ｄ’よりも上下方向に長く形成されており、上記支持杆４ａ，４ａ’に上記固定基台５の脚部５ｃ，５ｃ’を挿入した状態で、上記支持杆４ａ，４ａ’に対して上記固定基台５を上記脚部５ｃ，５ｃ’の長さの範囲内で上下方向に摺動可能に構成されている。これにより、各種の上下高さの消火栓箱１に対応して上記保形ホース保持枠４を取り付けることが可能となっている。
【００３９】
尚、本実施形態においては、上記脚部５ｃ，５ｃ’の長さは上記脚部６ｄ，６ｄ’の約３倍であるが、上記脚部５ｃ，５ｃ’をより長く形成することにより、上記摺動幅を拡大することができる。尚、このように摺動可能とする固定基台は上記上側の固定基台５又は下側の固定基台６の何れかで良いが、図１と異なり上記固定基台５を下側に設ける場合は、固定基台５に対して支持杆４ａ，４ａ’を昇降させた適宜高さ位置にて上記支持杆４ａ，４ａ’端部と上記脚部５ｃ，５ｃ’とを接続固定するための手段（支持杆４ａ，４ａ’から脚部５ｃ，５ｃ’に至る半径方向ピン等）が必要である。
【００４０】
本発明に係る保形ホース収納枠及び消火栓装置は上述のように構成されるものであるから、次に上記保形ホース収納枠４の消火栓箱１への取り付け動作等について説明する。
【００４１】
既設の消火栓箱１（非保形のフラットホースが収納されている）において、図１に示すように右側上部に消火栓弁２が設置されている場合について説明する。まず、上記消火栓箱１から非保形フラットホース及びその櫛型ホース架を取り外す。その後、図１に示すように、支持杆４ａ’を左側（消火栓弁２とは反対側）、側面支持枠４ｂ，４ｂを有する支持枠４ａを右側（消火栓弁２の位置する側）として両支持枠４ａ，４ａ’を消火栓箱１内に並設し、これら支持杆４ａ、４ａ’の上端部４ｃ、４ｃ’に上記固定基台５の脚部５ｃ、５ｃ’を各々挿通すると共に、下端部４ｄ、４ｄ’に上記固定基台６の脚部６ｄ、６ｄ’をそれぞれ挿通する。
【００４２】
そして、かかる状態の保形ホース収納枠４における上記上側の固定基台５の取付面５ｂを上記消火栓箱１のフラットホースが収納されていた左寄りの位置における天板（消火栓箱内上面）１ａにボルトＰ等で固定し（図１参照）、上記下側の固定基台６の取付面６ｂを上記固定基台５の対応位置における底板（消火栓箱内下面）１ｂにボルトＰ等で固定する（図１参照）。さらに、向かって右側の支持杆４ａに設けられた側面支持枠４ｂ、４ｂの脚部４ｂ’，４ｂ’を背板１ｄに溶着又はボルト等で固定することで、当該保形ホース収納枠４を上記消火栓箱１内に装着する。
【００４３】
このように装着された保形ホース収納枠４内に、保形ホース３を図１に示すように収納する。即ち、保形ホース３の終端接続部３ｂを上記消火栓弁２の二次側に接続し、該保形ホース３の本体は上記収納枠４の支持杆４ａ，４ａ’後側に巻回して収納する（図１参照）。このとき、上記保形ホース３の外形の左側面は上記消火栓箱１の左側面１ｃ’で支持され、上記保形ホース３の右側面は上記側面保持枠４ｂ，４ｂにより支持されるので、当該保形ホース収納枠４内に保形ホースを適切に収納支持することができる。
【００４４】
また、上記保形ホース収納枠４は、装着対象となる消火栓箱１の大きさや消火栓弁２の取り付け位置に応じていくつかの取り付け形態をとり得る。即ち、上記保形ホース収納枠４を上記消火栓箱１に装着するにあたっては、上記消火栓箱１内の上下高さが各種存在しても、上記固定基台６を上記消火栓箱１の底板１ｂに固定した後に、上記上連結板５を上記支持杆４ａ，４ａ’に対して上記天板１ａに当接する位置まで上昇させて該天板１ａに固定することにより、各種の上下高さの消火栓箱１に対応することができる。このように、上記一対の支持杆４ａ、４ａ’の上記上端部４ｃ、４ｃ’に装着された上記固定基台５をその脚部５ｃ、５ｃ’の長さの範囲内で上下方向に摺動させることで、保持枠４全体の上下高さを伸縮することができるため、各種の高さの既設消火栓箱１に対応して取り付けることができる。これにより、各種の大きさの既設消火栓箱１に当該保形ホース収納枠４を簡単な作業で装着することができる。
【００４５】
図３に示す実施形態は、図１に示す実施形態において右側に取り付けられていた消火栓弁２が左側に取り付けられている場合を示している。尚、この場合も上記消火栓弁２（「４０Ａ」）の下側に「６５Ａ」の消火栓弁２’が取り付けられている場合もある。また、同図に示す消火栓弁２，２’には消火栓箱１の背面側から１次側配管が接続されている。
【００４６】
同図に示す消火栓箱１においては、上記消火栓弁２が取り付けられている左寄りの位置には保形ホース収納枠４を装着することができないので、上記消火栓箱１内の右寄りの位置（図１と対称の位置）に装着することになる。この場合、上記固定基台５，６を図３に示す右寄りの位置に設置すると共に、上記支持杆４ａをその側面支持枠４ｂ，４ｂが上記消火栓弁２の側（左側）に位置するように、図１に対して当該支持杆４ａの上下を逆転させて、上記各固定基台５，６の脚部５ｃ’，６ｄ’間に取り付け（図２二点鎖線、図３参照）、他方の支持杆４ａ’をそのまま右側に移動して、上記基台５，６の脚部５ｃ，６ｄ間に取り付ける。
【００４７】
即ち、上記固定基台５と６は上記消火栓箱１の天板１ａと底板１ｂの右寄りの上下対応する位置に取り付け、上記支持杆４ａを上下逆転させて、その側面保持枠４ｂ，４ｂが消火栓箱１の左側（消火栓弁２の位置する側）に位置するように上記固定基台５，６に取り付ける。具体的には、上記支持杆４ａの上端部４ｃを上記固定基台６の脚部６ｄ’に接続し、上記支持杆４ａの下端部４ｄを上記固定基台５の脚部５ｃ’に接続する（図３参照）。そして、支持杆４ａ’はそのまま右側に移動して、上端部４ｃ’、下端部４ｄ’を各々脚部５ｃ、６ｄに接続すれば良い。これにより、側面支持枠４ｂ、４ｂが該保形ホース収納枠４の左側に位置するようになり、該側面支持枠４ｂ，４ｂによって保形ホース３の左外側面を支持することができる。このとき、上記保形ホース３の右外側面は当該消火栓箱１の側板１ｃで支持し得るため、図３に示すように、この場合においても上記保形ホース収納枠４により上記保形ホース３を安定して支持し得る。
【００４８】
尚、上記各実施形態においては、上記固定基台５及び６に上記各支持杆４ａ，４ａ’内に挿通可能な棒状脚部５ｃ、５ｃ’及び６ｄ、６ｄ’を設けたが、これとは逆に、上記一対の支持杆４ａ、４ａ’の各端部に棒状脚部を突出形成し、これら脚部を挿入嵌合し得る接続中空管を上記固定基台５、６側対応位置に形成しても良い。
【００４９】
また、上記上下の固定基台５及び６の上記消火栓箱１上下内面への固定構造については、上述のように溶着或いはボルトＰ止め等により着脱不能に固定する方法を採り得るが、上記固定基台５及び６における上記消火栓箱１上下内面への接触面（取り付け面）５ｂ，６ｂに永久磁石Ｍを取り付けることにより（図４（ａ）（ｂ）参照）、該永久磁石Ｍの磁気吸着力により当該保形ホース保持枠４を上記消火栓箱１の天板１ａ及び底板１ｂ（上下内面）に固定する構造としても良い。この場合、上記接触面５ｂ，６ｂに板状の永久磁石Ｍを接着することが好ましい。このように構成すると、上記固定基台５，６の吸着後でも固定位置の微調整を行うことができるし、取り付け工事が容易となり、また、装着後に上記保形ホース収納枠４の着脱が容易となりメンテナンス性に優れたものとすることができる。
【００５０】
また、上記保形ホース収納枠４を構成する上記固定基台５及び６、上記一対の支持杆４ａ、４ａ’及び上記側面支持枠４ｂ、４ｂは防錆塗装が施されているとともに、上記一対の支持杆４ａ、４ａ’には低摩擦抵抗材を塗布することで、上記保形ホース収納枠４に巻回収納された上記保形ホース３を取り出す際に上記一対の支持杆４ａ、４ａ’と上記保形ホース３が擦れ合う部分に発生する摩擦抵抗を小さくして、消火作業時における作業性を向上させると共に上記保形ホース３の損傷や裂傷を防止することができる。
【図面の簡単な説明】
【００５１】
【図１】本発明に係る保形ホース収納枠を装着した消火栓装置の実施形態を示したものであって、（ａ）はその正面図、（ｂ）は（ａ）の概略側面断面図である。
【図２】本発明に係る保形ホース収納枠及び消火栓装置の分解斜視図である。
【図３】本発明に係る保形ホース収納枠を装着した消火栓装置の実施形態を示した上記収納枠の正面図である。
【図４】本発明に係る保形ホース収納枠の消火栓箱への装着部を示すものであり、（ａ）は上下固定基台近傍及び側面支持枠近傍の正面図、（ｂ）は（ａ）の概略側面断面図である。
【図５】従来の消火栓装置の概略を示す正面図である。
【符号の説明】
【００５２】
１    消火栓箱
１ａ  天板
１ｂ  底板
１ｃ、１ｃ’  側板
２    消火栓弁
３    保形ホース
４    保形ホース収納枠
４ａ、４ａ’  支持杆
４ｂ  側面支持枠
４ｃ，４ｃ’  上端部
４ｄ、４ｄ’  下端部
５、６  固定基台
５ｃ、５ｃ’  脚部
６ｄ、６ｄ’  脚部
【図１】
2005270494.tif 000003
【図２】
2005270494.tif 000004
【図３】
2005270494.tif 000005
【図４】
2005270494.tif 000006
【図５】
2005270494.tif 000007